(57)【要約】【課題】打撃した際の打撃感が損なわれることを回避しつつ、打撃された際に発生する打撃音を低減させることができるシンバルを提供すること。【解決手段】金属材料で構成される中心部１０及び円環部２０が、ゴム材料で構成される第１連結部３０により連結されている。中心部１０又は円環部２０を直に打撃することで、アコースティックシンバルを打撃した際に得られる感触に近似した打撃感を得ることができる。また、中心部１０及び円環部２０が打撃された際に発生する振動を第１連結部３０により減衰することができるので、打撃音を低減させることができる。【選択図】図１
2014089369.tif 000002
【特許請求の範囲】
【請求項１】
所定の剛性を有する円環状の円環部と、その円環部の内周側に位置すると共に所定の剛性を有する中心部と、その中心部の外周側および前記円環部の内周側を連結すると共に弾性材料から構成される第１連結部とを備えることを特徴とするシンバル。
【請求項２】
前記円環部の内周側から外周側へ向けて延設されると共に周方向において前記円環部を分断するスリットと、そのスリットを介して周方向において対向する前記円環部の端部同士を連結すると共に弾性材料から構成される第２連結部とを備えていることを特徴とする請求項１記載のシンバル。
【請求項３】
前記スリットは、前記円環部の径方向に沿って形成されていることを特徴とする請求項２記載のシンバル。
【請求項４】
前記第１連結部は、前記円環部の内周面および前記中心部の外周面を接合する接合部と、その接合部に沿って形成されると共に前記円環部および前記中心部の下面に跨設される帯状の補強部とを備えていることを特徴とする請求項１から３のいずれかに記載のシンバル。
【請求項５】
前記中心部は、径方向外側へ向けて下降傾斜する椀状に形成され、
前記円環部は、径方向外側へ向けて前記ベル部よりも緩やかに下降傾斜する円環状に形成されていることを特徴とする請求項１から４のいずれかに記載のシンバル。
【請求項６】
前記円環部または前記中心部が打撃された際に発生する振動を検出するセンサを備えていることを特徴とする請求項１から５のいずれかに記載のシンバル。
【発明の詳細な説明】
【技術分野】
【０００１】
本発明は、シンバルに関し、特に、打撃した際の打撃感が損なわれることを回避しつつ、打撃された際に発生する打撃音を低減させることができるシンバルに関するものである。
【背景技術】
【０００２】
金属製のアコースティックシンバルは、剛性が高く、打撃した際に発生する打撃音が大きい。そこで、ゴム等の弾性が高い素材（振動減衰機能が高い素材）から構成されるシンバル消音道具をアコースティックシンバルの上面側やエッジに取り付け、演奏時にはシンバル消音道具が取り付けられた部分を打撃することにより、アコースティックシンバルが打撃された際に発生する打撃音を低減させる技術が知られている（特許文献１）。
【先行技術文献】
【特許文献】
【０００３】
【特許文献１】特開平８−２７２３５９号公報(段落［０００５］，［０００６］など)
【発明の概要】
【発明が解決しようとする課題】
【０００４】
しかしながら、上述した特許文献１に記載の技術は、シンバル消音道具が取り付けられた部分を打撃することにより打撃音を低減させるものであるため、剛性の高い金属製のアコースティックシンバルを打撃することにより得られる打撃感が損なわれるという問題点があった。
【０００５】
本発明は、上述した問題点を解決するためになされたものであり、打撃した際の打撃感が損なわれることを回避しつつ、打撃された際に発生する打撃音を低減させることができるシンバルを提供することを目的としている。
【課題を解決するための手段および発明の効果】
【０００６】
請求項１記載のシンバルによれば、円環部および中心部が所定の剛性を有しているので、円環部または中心部を直に打撃することで、金属製のアコースティックシンバルを打撃することにより得られる感触に近似した打撃感を感じることができる。
【０００７】
また、円環部と中心部とが、弾性材料から構成される第１連結部により連結されているので、円環部または中心部のいずれか一方を打撃した際に、円環部または中心部のいずれか一方から他方へ振動が伝達されることを抑制できると共に、円環部および中心部の振動を第１連結部により減衰させることができる。
【０００８】
よって、剛性の高い金属製のアコースティックシンバルを打撃することにより得られる打撃感が損なわれることを回避しつつ、円環部または中心部を打撃した際に発生する打撃音を低減させることができるという効果がある。
【０００９】
請求項２記載のシンバルによれば、請求項１記載のシンバルの奏する効果に加え、円環部の内周側から外周側へ向けて延設されると共に周方向において円環部を分断するスリットを備えているので、円環部が打撃された際に、円環部の周方向への振動伝達を遮断することができる。
【００１０】
さらに、弾性材料から構成される第２連結部により、スリットを介して周方向において対向する円環部の端部同士が連結されているので、円環部が打撃された際の振動を第２連結部により減衰させることができる。よって、円環部が打撃された際に発生する打撃音を低減させやすくすることができるという効果がある。
【００１１】
請求項３記載のシンバルによれば、請求項２記載のシンバルの奏する効果に加え、スリットが円環部の径方向に沿って形成されているので、スリットの径方向における長さ寸法を短くすることができる。よって、スリットの形成による円環部の剛性低下を抑制できるという効果がある。
【００１２】
また、スリットの径方向における長さ寸法を短くすることで、演奏時において円環部を打撃しようとした際に第２連結部が打撃されることを回避しやすくすることができるという効果がある。
【００１３】
請求項４記載のシンバルによれば、請求項１から３のいずれかに記載のシンバルの奏する効果に加え、第１連結部は、円環部の内周面および中心部の外周面を接合する接合部と、その接合部に沿って形成されると共に円環部および中心部の下面に跨設される補強部とを備えているので、円環部と中心部とを強固に連結することができるという効果がある。
【００１４】
また、接合部が円環部の内周面と中心部の外周面とを接合すると共に、補強部が円環部および中心部の下面側に跨設されているので、演奏時に打撃される円環部および中心部の上面側における第１連結部の露出を少なくすることができる。よって、演奏時において円環部または中心部を打撃しようとした際に第１連結部が打撃されることを回避しやすくすることができるという効果がある。
【００１５】
さらに、補強部は、帯状に形成されると共に接合部に沿って円環部および中心部の下面に取着されているので、円環部および中心部の下面全体にゴム等の振動減衰機能を有する部材が取着されている場合と比べて、シンバル全体の重量増加を抑制できる。よって、シンバルを打撃した際の打撃感が損なわれることを回避できるという効果がある。
【００１６】
請求項５記載のシンバルによれば、請求項１から４のいずれかに記載のシンバルの奏する効果に加え、中心部が径方向外側へ向けて下降傾斜する椀状に形成されると共に、円環部が径方向外側へ向けてベル部よりも緩やかに下降傾斜する円環状に形成されているので、アコースティックシンバルの形状に近似させることができる。
【００１７】
即ち、アコースティックシンバルは、径方向外側へ向けて下降傾斜する椀状のベル部と、そのベル部の外縁から鍔状に延設されると共に径方向外側へ向けて前記ベル部よりも緩やかに下降傾斜する円環状のボウ部とから構成されている。従って、中心部を径方向外側へ向けて下降傾斜する椀状に形成することで、中心部の形状をアコースティックシンバルのベル部に近似した形状に形成することができる。同様に、円環部を径方向へ向けて中心部よりも緩やかに下降傾斜する円環状に形成することで、円環部の形状をアコースティックシンバルのボウ部にそれぞれ近似させることができる。
【００１８】
よって、中心部と円環部とを第１連結部により連結することで、シンバルの全体形状をアコースティックシンバルに近似させることができる。その結果、アコースティックシンバルのベル部やボウ部を打撃する際の打撃方法と同様の方法で中心部や円環部を打撃することができるので、アコースティックシンバルを打撃した際に得られる感触に近似した打撃感を感じることができるという効果がある。
【００１９】
請求項６記載のシンバルによれば、請求項１から５のいずれかに記載のシンバルの奏する効果に加え、円環部または中心部が打撃された際に発生する振動を検出するセンサを備えているので、電子シンバルとして使用することができるという効果がある。
【図面の簡単な説明】
【００２０】
【図１】（ａ）は、本発明の第１実施の形態におけるシンバルの上面図であり、（ｂ）は、シンバルの下面図であり、（ｃ）は、図１（ａ）のＩｃ−Ｉｃ線におけるシンバルの断面図である。
【図２】（ａ）は、中心部の上面図であり、（ｂ）は、図２（ａ）のＩＩｂ−ＩＩｂ線における中心部の断面図であり、（ｃ）は、円環部の上面図であり、（ｄ）は、図２（ｃ）のＩＩｄ−ＩＩｄ線における円環部の断面図である。
【図３】（ａ）は、第２実施の形態におけるシンバルの上面図であり、（ｂ）は、第３実施の形態におけるシンバルの上面図であり、（ｃ）は、第４実施の形態におけるシンバルの上面図であり、（ｄ）は、第５実施の形態におけるシンバルの上面図であり、（ｅ）は、第６実施の形態におけるシンバルの上面図であり、（ｆ）は、第７実施の形態におけるシンバルの上面図である。
【発明を実施するための形態】
【００２１】
以下、本発明の好ましい実施の形態について添付図面を参照して説明する。まず、図１を参照して、第１実施の形態におけるシンバル１００について説明する。図１（ａ）は、本発明の第１実施の形態におけるシンバル１００の上面図であり、図１（ｂ）は、シンバル１００の下面図であり、図１（ｃ）は、図１（ａ）のＩｃ−Ｉｃ線におけるシンバル１００の断面図である。なお、図１では、シンバル１００を模式的に図示しており、図１（ｂ）では、第１接合部３１及び第２接合部４１を破線で図示している。
【００２２】
図１に示すように、シンバル１００は、主として金属で構成されると共に演奏者により打撃される練習用の打楽器であり、中心部分に配設される中心部１０と、その中心部１０の外周側に位置する円環部２０と、それら中心部１０及び円環部２０の間に介設される第１連結部３０と、その第１連結部３０から円環部２０の径方向外側へ向けて延設される第２連結部４０とを主に備えて構成されている。
【００２３】
なお、シンバル１００を構成する金属以外の材料としては、例えば、ＰＰ（ポリプロピレン）、ＰＡ（ポリアミド）、ＦＲＰ（繊維強化プラスチック）などの剛性の高い樹脂材料が例示される。
【００２４】
ここで、図２を参照して、中心部１０及び円環部２０の構成について説明する。図２（ａ）は、中心部１０の上面図であり、図２（ｂ）は、図２（ａ）のＩＩｂ−ＩＩｂ線における中心部１０の断面図であり、図２（ｃ）は、円環部２０の上面図であり、図２（ｄ）は、図２（ｃ）のＩＩｄ−ＩＩｄ線における円環部２０の断面図である。
【００２５】
図２（ａ）及び図２（ｂ）に示すように、中心部１０は、上面視略円形状に形成されると共に径方向外側へ向けて下降傾斜する椀状に形成された部位であり、金属材料から構成されている。中心部１０は、上面視における中心位置に棒状のロッド（図示せず）が挿通可能な挿通孔１０ａが穿設されている。シンバル１００をドラムスタンド（図示せず）に固定する際には、ドラムスタンドに連結されたロッドを挿通孔１０ａに挿通させ、その状態で締付ナット（図示せず）によりシンバル１００をロッドに締付固定する。
【００２６】
図２（ｃ）及び図２（ｄ）に示すように、円環部２０は、径方向外側へ向けて下降傾斜する円環状の部位であり、径方向における傾斜が中心部１０よりも緩やかに形成されている。円環部２０には、略直線状のスリット５０が径方向に沿って切り込まれており、そのスリット５０により円環部２０が周方向において分断されている。
【００２７】
図１に戻って説明する。第１連結部３０は、中心部１０の外周側と円環部２０の内周側とを連結する部位であり、ゴム材料から構成されると共に円環部２０の軸方向（図１（ｃ）上下方向）に沿った断面形状が略Ｔ字状に形成されている。第１連結部３０は、中心部１０の外周面全体および円環部２０の内周面全体を接合する第１接合部３１と、その第１接合部３１に沿って形成される第１補強部３２とを備えている。
【００２８】
なお、第１連結部３０を構成するゴム材料以外の材料としては、例えば、ＴＰＵ（ウレタン系）、ＰＶＣ（塩化ビニル系）、ＳＢＣ（スチレン系）、ＴＰＯ（オレフィン系）の熱可塑性エラストマー（ＴＰＥ）や、ＰＶＣ（ポリ塩化ビニル）などの弾性の高い樹脂材料が例示される。
【００２９】
第１接合部３１は、円環部２０の軸方向視において略円環状に形成されている。第１接合部３１は、その上端面（図１（ｃ）上側の面）が中心部１０及び円環部２０の上面（図１（ｃ）上側の面）と同位置に設けられ、中心部１０の上面と円環部２０の上面とが第１接合部３０を介して滑らかに連なっている。
【００３０】
第１補強部３２は、円環部２０の軸方向視において略円環状に形成されると共に幅寸法（円環部２０の径方向に沿った長さ寸法）が第１接合部３１よりも大きく設定された帯状の部位であり、中心部１０及び円環部２０の下面側（図１（ｃ）下側の面）に跨設された状態で取着されている。
【００３１】
第２連結部４０は、スリット５０（図２（ｃ）参照）により分断されることで形成された円環部２０の周方向における端部同士を互いに連結する部位であり、ゴム材料から構成されると共に円環部２０の軸方向（図１（ｃ）上下方向）に沿った断面形状が略Ｔ字状に形成されている。第２連結部４０は、円環部２０の周方向において互いに対向する端面同士を連結する第２接合部４１と、その第２接合部４１に沿って形成される第２補強部４２とを備えている。
【００３２】
第２接合部４１は、円環部２０の径方向に沿った略直線状に形成されている。第２接合部４１は、その上端面（図１（ｃ）上側の面）が円環部２０の上面（図１（ｃ）上側の面）と同位置に設けられ、円環部２０の上面が周方向において第２接合部４１を介して滑らかに連なっている。
【００３３】
第２補強部４２は、円環部２０の径方向に沿った略直線状に形成されると共に幅寸法（円環部２０の径方向に対して垂直な方向に沿った長さ寸法）が第２接合部４１よりも大きく設定された帯状の部位であり、円環部２０の下面側（図１（ｃ）下側の面）であってスリット５０（図２（ｃ）参照）を介して位置する円環部２０の周方向における両端に跨設された状態で取着されている。
【００３４】
なお、本実施の形態では、第１接合部３１の幅寸法及び第２接合部４１の幅寸法が３ｍｍに設定されている。
【００３５】
ここで、アコースティックシンバルは、径方向外側へ向けて下降傾斜する椀状のベル部と、そのベル部の外縁から鍔状に延設されると共に径方向外側へ向けて前記ベル部よりも緩やかに下降傾斜する円環状のボウ部とから構成されている。
【００３６】
これに対し、シンバル１００では、中心部１０を径方向外側へ向けて下降傾斜する椀状に形成することで、中心部１０の形状をアコースティックシンバルのベル部に近似した形状に形成することができる。同様に、円環部２０を径方向へ向けて中心部１０よりも緩やかに下降傾斜する円環状に形成することで、円環部２０の形状をアコースティックシンバルのボウ部にそれぞれ近似させることができる。
【００３７】
よって、中心部１０と円環部２０とを第１連結部３０により連結することで、シンバル１００の全体形状をアコースティックシンバルに近似させることができる。その結果、アコースティックシンバルのベル部やボウ部を打撃する際の打撃方法と同様の方法で中心部や円環部を打撃することができるので、アコースティックシンバルを打撃した際に得られる感触に近似した打撃感を感じることができる。
【００３８】
また、中心部１０及び円環部２０は金属材料から構成されているので、中心部１０及び円環部２０を直に打撃することで、アコースティックシンバルを打撃することにより得られる感触に近似した打撃感を感じることができる。
【００３９】
シンバル１００は、中心部１０と円環部２０とが別部材として構成されているので、中心部１０又は円環部２０のいずれか一方からいずれか他方への直接的な振動伝達を遮断することができる。また、中心部１０の外周側と円環部２０の内周側とが弾性材料から構成される第１連結部３０により連結されているので、中心部１０又は円環部２０のいずれか一方を打撃した際に、中心部１０又は円環部２０のいずれか一方から他方へ振動が伝達されることを抑制できると共に、中心部１０及び円環部２０の振動を第１連結部３０により減衰させることができる。
【００４０】
また、円環部２０は、スリット５０（図２（ｃ）参照）により周方向において分断されているので、円環部２０が打撃された際に、円環部２０における周方向への直接的な振動伝達を遮断することができる。さらに、スリット５０を介して対向する円環部２０の端部同士が、弾性材料から構成される第２連結部４０により連結されているので、円環部２０の振動を第２連結部４０により減衰させることができる。
【００４１】
ここで、シンバル１００をドラムスタンド（図示せず）に固定する際には、ドラムスタンドに連結されたロッド（図示せず）を中心部１０の挿通孔１０ａに挿通させた状態でシンバル１００が締付固定されている。そのため、中心部１０の外周側に位置する円環部２０は、中心部１０に比べて大きく振動しやすく、打撃音も大きくなる。
【００４２】
これに対し、シンバル１００が第２連結部４０を備えることにより、円環部２０の振動を早期に減衰させることができるので、円環部２０の打撃音を効率的に低減させることができる。
【００４３】
また、第１連結部３０及び第２連結部４０は、第１接合部３１及び第２接合部４１の上端面が中心部１０及び円環部２０の上面と同位置に設けられているので、第１接合部３１及び第２接合部４１が中心部１０及び円環部２０の上面から突出することを回避することができる。これにより、演奏者がシンバル１００を演奏する際に、第１接合部３１及び第２接合部４１が打撃されることを回避しやすくすることができる。
【００４４】
なお、本実施の形態では、第１接合部３１及び第２接合部４１の幅寸法が３ｍｍに設定されているが、第１接合部３１と第２接合部４１とが異なる幅寸法に設定されてもよい。また、第１接合部３１又は第２接合部４１の幅寸法が一定寸法に設定されていなくてもよい。即ち、第１接合部３１又は第２接合部４１の周方向における一の部分における幅寸法と他の部分における幅寸法とが異なる長さ寸法に設定されていてもよい。
【００４５】
ここで、第１接合部３１及び第２接合部４１の幅寸法は、１ｍｍ以上、かつ、１０ｍｍ以下の範囲内に設定されていることが望ましい。
【００４６】
第１接合部３１及び第２接合部４１の幅寸法を１ｍｍ以上に設定することで、中心部１０又は円環部２０が打撃されたことにより発生する振動を第１接合部３１及び第２接合部４１により減衰させることができる。
【００４７】
一方、第１接合部３１及び第２接合部４１の幅寸法を１０ｍｍ以下に設定することで、シンバル１００の剛性低下を抑制してシンバル１００の形状を保持させることができる。
【００４８】
さらに、第１接合部３１及び第２接合部４１の幅寸法を１０ｍｍ以下に設定することで、シンバル１００の上面視において、第１接合部３１及び第２接合部４１がシンバル１００全体に対して占める割合を小さくすることができる。その結果、演奏者がシンバル１００を演奏する際に、第１接合部３１及び第２接合部４１が打撃されることを回避しやすくすることができる。
【００４９】
また、スリット５０（図２（ｃ）参照）が円環部２０の径方向に沿って略直線状に形成され、そのスリット５０により形成された円環部２０の周方向における端部同士を第２連結部４０により連結しているので、第２連結部４０がシンバル１００全体に対して占める割合を少なくすることができる。これにより、円環部２０の剛性低下を抑制して円環部２０の形状を保持できると共に、演奏者が円環部２０を打撃しようとした際に第２接合部４１が打撃されることを回避しやすくすることができる。
【００５０】
第１連結部３０は、第１補強部３２が中心部１０及び円環部２０に跨設されているので、中心部１０と円環部２０とを強固に連結することができる。また、第２連結部４０は、第２補強部４２が円環部２０の下面側（図１（ｃ）下側の面）であって円環部２０の周方向における両端に跨設されているので、それら円環部２０の周方向における端部同士を強固に連結することができる。よって、シンバル１００の剛性を確保してその形状を保持することができる。
【００５１】
さらに、第１補強部３２及び第２補強部４２は、中心部１０及び円環部２０の下面側に取着されているので、第１補強部３２及び第２補強部４２が、演奏者により打撃されるシンバル１００の上面側における第１連結部３０及び第２連結部４０の露出を少なくすることができる。よって、演奏時において中心部１０又は円環部２０を打撃しようとした際に第１連結部３０又は第２連結部４０が打撃されることを回避しやすくすることができる。
【００５２】
また、第１補強部３２及び第２補強部４２は、帯状に形成されると共に第１接合部３１又は第２接合部４１に沿って中心部１０または円環部２０の下面側に取着されているので、中心部１０及び円環部２０の下面側全体にゴム等の振動減衰機能を有する部材が取着される場合と比べて、シンバル１００全体の重量増加を抑制できる。
【００５３】
即ち、シンバル１００の重量がアコースティックシンバルと比べて重くなると、シンバル１００を打撃した際の手ごたえが強く、シンバル１００のロッドに対する揺動が小さくなり、シンバル１００を打撃した際の打撃感が損なわれる。
【００５４】
これに対し、シンバル１００では、第１補強部４１及び第２補強部４２が帯状に形成されることで、シンバル１００全体の重量増加を抑制できるので、シンバル１００を打撃した際の打撃感が損なわれることを回避しやすくして、アコースティックシンバルを打撃した際に得られる感触に近似した打撃感を感じることができる。
【００５５】
ここで、シンバル１００の製造方法について説明する。まず、アコースティックシンバルをベル部とボウ部との境界部分に沿って切断し、ベル部側とボウ部側との２つの部材に分断する（分断工程）。この切断工程により得られる２つの部材のうち、ベル部側の部材を中心部１０として、ボウ部側の部材を円環部２０として使用する。
【００５６】
このように、アコースティックシンバルを切断することにより得られる２つの部材を中心部１０及び円環部２０に使用することで、例えば、平坦な金属板を加工して中心部１０及び円環部２０を別個に形成する場合と比べて、中心部１０及び円環部２０の形成作業を簡素化することができる。
【００５７】
次に、切断工程により得られた円環部２０にスリット５０を形成する（スリット形成工程）。
【００５８】
次に、スリット形成工程により形成された円環部２０の周方向における端部同士を第２連結部４０により連結する（第２連結部形成工程）。この第２連結部形成工程では、周方向において対向する円環部２０の両端面に第２接合部４１を接着させた後、中心部１０及び円環部２０の下面側に第２補強部４２を接着する。
【００５９】
最後に、第２連結部形成工程により第２補強部４２が接着された円環部２０の内周側と中心部１０の外周側とを第１連結部３０により連結する（第１連結部形成工程）。この第１連結部形成工程では、円環部２０の内周面と中心部１０の外周面とに第１接合部３１を接着させた後、中心部１０及び円環部２０の下面側に第１補強部３２を接着する。
【００６０】
なお、第１連結部３０及び第２連結部４０の中心部１０及び円環部２０に対する接着方法としては、加硫接着や接着剤等による接着等が例示される。
【００６１】
次に、図３を参照して、第２実施の形態から第７実施について説明する。図３（ａ）は、第２実施の形態におけるシンバル２００の上面図であり、図３（ｂ）は、第３実施の形態におけるシンバル３００の上面図であり、図３（ｃ）は、第４実施の形態におけるシンバル４００の上面図であり、図３（ｄ）は、第５実施の形態におけるシンバル５００の上面図であり、図３（ｅ）は、第６実施の形態におけるシンバル６００の上面図であり、
図３（ｆ）は、第７実施の形態におけるシンバル７００の上面図である。なお、図３では、シンバル２００，３００，４００，５００，６００，７００を模式的に図示している。また、上記した第１実施の形態と同一の部分については同一の符号を付して、その説明を省略する。
【００６２】
まず、図３（ａ）を参照して、第２実施の形態について説明する。第１実施の形態では、シンバル１００が第２連結部４０を備えていたが、第２実施の形態では、第２連結部が省略されている。
【００６３】
図３（ａ）に示すように、シンバル２００は、中心部１０と、円環部２２０と、第１連結部３０とを備えている。なお、円環部２２０は、スリット５０（図２（ｃ）参照））が省略されている点を除き、第１実施の形態における円環部２０と同等の構成である。
【００６４】
シンバル２００は、第２連結部およびスリットを省略することで円環部２２０の形状を簡素化することができるので、円環部２２０の製造コストを低減させることができる。
【００６５】
また、円環部２２０にスリットを形成することを回避できるので、円環部２２０の周方向において円環部２２０の剛性に差が生じることを防止できる。その結果、円環部２２０を打撃する位置によって得られる打撃感が異なることを回避できる。
【００６６】
次に、図３（ｂ）を参照して、第３実施の形態について説明する。第１実施の形態では、シンバル１００が第２連結部４０を１つ備える場合について説明したが、第３実施の形態では、シンバル３００が第２連結部４０を２つ備えている。
【００６７】
図３（ｂ）に示すように、シンバル３００は、中心部１０と、円環部３２０と、第１連結部３０と、２つの第２連結部４０を備え、それら２つの第２連結部４０が中心部１０に対して点対称となる位置に配設されている。
【００６８】
シンバル３００は、２つの第２連結部４０を備えているので、第２連結部４０を１つ備える場合と比べて、第２連結部４０と円環部３２０との当接面積を大きく確保できる。これにより、円環部３２０の振動をより早期に減衰させることができるので、円環部３２０が打撃された際に発生する打撃音をより低減させることができる。
【００６９】
また、２つの第２連結部４０が中心部１０に対して点対称となる位置に配設されているので、中心部１０を挟んだ円環部３２０の一方側と他方側とで重量が異なることを回避できる。よって、シンバル３００をロッドに固定する際に、シンバル３００が一方側または他方側に傾きやすくなることを防止できる。
【００７０】
次に、図３（ｃ）を参照して、第４実施の形態について説明する。第１実施の形態では、中心部１０が上面視略円形状に形成される場合について説明したが、第４実施の形態では、中心部４１０が上面視略楕円形状に形成されている。
【００７１】
図３（ｃ）に示すように、中心部４１０が上面視略楕円形状に形成されると共に、円環部４２０の内周円が中心部４１０の外形に倣った略楕円形状に形成され、中心部４１０と円環部４２０とが第１連結部４３０に連結されることで、シンバル４００がアコースティックシンバルに近似した形状に形成されている。
【００７２】
即ち、シンバル４００は、アコースティックシンバルのベル部に対応する部位と、ボウ部に対応する部位とから構成され、第１連結部４３０は、ベル部に対応する部位とボウ部に対応する部位との連設部分に沿って形成される部分と、ベル部に対応する部位とボウ部に対応する部位との連設部分よりも径方向外側に形成される部分（ボウ部に対応する部位）と、を有している。
【００７３】
これにより、第１連結部４３０の周方向における長さ寸法を大きく確保できるので、中心部４１０及び円環部４２０が第１連結部４３０に当接する部分を広く確保できる。よって、中心部４１０及び円環部４２０が打撃された際に発生する振動を減衰させやすくすることができるので、中心部４１０及び円環部４２０の打撃音を低減させることができる。
【００７４】
また、本実施の形態では、略楕円形状の中心部４１０の中心が、シンバル４００の中心（挿通部１０ａが形成される位置）よりも一方側（図３（ｃ）下側）へずらした位置に形成され、第２連結部４４０が第１連結部４３０のうち最も円環部４２０の外縁に近接する部分（図３（ｃ）下側）からシンバル４００の径方向に沿って形成されている。
【００７５】
これにより、シンバル４００の一方側に比べて、他方側（図３（ｃ）上側）において第１連結部４３０及び第２連結部４４０が占める割合を少なくすることができる。即ち、シンバル４００の他方側において、金属で構成される中心部４１０又は円環部４２０が占める割合を多くすることができるので、シンバル４００を演奏する際には、シンバル４００の他方側を打撃することで、第１連結部４３０及び第２連結部４４０が打撃されることを回避しやすくすることができる。また、中心部４１０及び円環部４２０を挿通孔１０ａに対して非点対称な形状にすることで、打撃された際に発生する中心部４１０及び円環部４２０の振動を早期に減衰することができる。
【００７６】
次に、第５実施および第６実施の形態について説明する。第１実施の形態では、第２連結部４０が円環部２０の径方向に沿って直線状に形成される場合について説明したが、第５実施の形態では、第２連結部５４０が略く字状に屈曲形成され、第６実施の形態では、第２連結部６４０が第１連結部３０の接線方向に沿って形成されている。
【００７７】
これにより、第２連結部が円環部の径方向に沿って形成される場合と比べて、第２連結部５４０，６４０の長さ寸法を確保して、第２連結部５４０，６４０と円環部５２０，６２０との当接面積を大きく確保できる。よって、円環部５２０，６２０が打撃された際に発生する振動を減衰させやすくすることができるので、円環部５２０，６２０の打撃音を低減させることができる。
【００７８】
次に、第７実施の形態について説明する。第１実施の形態では、中心部１０の外周側全体と円環部２０の内周側全体とが第１連結部３０に接合される場合について説明したが、第７実施の形態では、中心部１０の外周側と円環部２０の内周側とが第１連結部７３０に断続的に接合されている。
【００７９】
シンバル７００は、中心部１０と円環部２０とが第１連結部７３０により断続的に連結されているので、打撃された事により発生する中心部１０又は円環部２０の振動を減衰させつつ、中心部１０又は円環部２０のいずれか一方の振動がいずれか他方へ伝達されることを抑制できる。よって、中心部１０及び円環部２０の振動を早期に減衰させることができるので、中心部１０及び円環部２０の打撃音を低減させることができる。
【００８０】
以上、実施の形態に基づき本発明を説明したが、本発明は上記各実施の形態に何ら限定されるものではなく、本発明の趣旨を逸脱しない範囲内で種々の改良変形が可能であることは容易に推察できるものである。
【００８１】
例えば、シンバル１００，２００，３００，４００，５００，６００，７００が練習用の打楽器として構成されるである場合について説明したが、必ずしもこれに限られるものではなく、シンバル１００が打撃された際に発生する振動を検出するセンサを有する電子打楽器（電子シンバル）として構成されていてもよい。この場合、中心部１０，４１０又は円環部２０，２２０，３２０，４２０，５２０，５２０のいずれか一方がセンサを備えていてもよく、中心部１０，４１０又は円環部２０，２２０，３２０，４２０，５２０，５２０の双方がセンサを備えていてもよい。
【００８２】
上記各実施の形態では、シンバル１００，２００，３００，４００，５００，６００，７００がアコースティックシンバルを切断することにより製造される場合について説明したが、必ずしもこれに限られるものではなく、シンバル１００，２００，３００，４００，５００，６００，７００を他の方法で製造してもよい。例えば、中心部１０，４１０と円環部２０，２２０，３２０，４２０，５２０，６２０とを別個の金属材料から形成した後、それらを第１連結部３０，４３０，７３０により連結してもよい。
【００８３】
上記各実施の形態では、第１接合部３１及び第２接合部４１の上端面が中心部１０，４１０及び円環部２０，２２０，３２０，４２０，５２０，６２０の上面と同位置に設けられている場合について説明したが、必ずしもこれに限られるものではなく、第１接合部３１及び第２接合部４１の上端面を中心部１０，４１０及び円環部２０，２２０，３２０，４２０，５２０，６２０の上面よりも下方に設けてもよい。これにより、第１接合部３１及び第２接合部４１が中心部１０，４１０及び円環部２０，２２０，３２０，４２０，５２０，６２０の上面から突出することを回避することができるので、演奏者がシンバル１００を演奏する際に、第１接合部３１及び第２接合部４１が打撃されることを回避しやすくすることができる。
【００８４】
上記第３実施の形態では、第２連結部４０を２つ備える場合について説明したが、必ずしもこれに限られるものではなく、第２連結部４０を３つ以上備えてもよい。これにより、第２連結部４０と円環部との当接面積を大きく確保できるので、円環部の振動を早期に減衰させることができる。
【００８５】
上記第５実施の形態では、第２連結部５４０が略く字状に屈曲形成される場合について説明したが、必ずしもこれに限られるものではなく、第２連結部が湾曲形成されていてもよく、第２連結部が２箇所以上屈曲または湾曲していてもよい。
【００８６】
上記各実施の形態では、中心部１０，４１０の外周面と円環部２０，２２０，３２０，４２０，５２０，６２０の内周面とが第１接合部３１，４３１により接合される場合について説明したが、必ずしもこれに限られるものではなく、中心部の外径を円環部の内径よりも大きく形成し、中心部の外縁部分における上面側または下面側と、円環部の内縁部分における下面側または上面側とを第１連結部により連結してもよい。この場合、第１連結部は、その上面および下面を平坦面状に形成することで、第１連結部と中心部および円環部との当接面積を大きく確保して、中心部と円環部とを第１連結部を介して確実に連結することができる。
【００８７】
上記各実施の形態では、第１連結部３０，４３０，７３０及び第２連結部４０，４４０，５４０，６４０が、円環部２０，２２０，３２０，４２０，５２０，６２０の径方向に垂直な断面が略Ｔ字状に形成される場合について説明したが、必ずしもこれに限られるものではなく、第１連結部が、円環部２０，２２０，３２０，４２０，５２０，６２０の軸方向視において略円環状に形成されると共に、内周面側または外周面側のいずれか一方または双方が径方向外側または径方向内側へ向けて凹設された嵌合凹部を有することで、径方向に垂直な断面形状が略コ字状または略エ字状に形成されていてもよい。この場合、中心部１０，４１０の外縁部分または円環部２０，２２０，３２０，４２０，５２０，６２０の内縁部分を第１連結部の嵌合凹部に嵌め込むことで、中心部１０，４１０と円環部２０，２２０，３２０，４２０，５２０，６２０とを第１連結部を介して確実に連結することができる。
【００８８】
なお、各実施の形態で説明した各構成を、他の実施の形態で説明した各構成と入れ替えてもよく、また、各実施の形態で説明した各構成に、他の実施の形態で説明した各構成を組み合わせたり、追加したりしてもよい。例えば、第３実施の形態で説明した２つの第２連結部３４０の形状を、第６実施の形態における第２連結部６４０の形状と入れ替えてもよい。
【符号の説明】
【００８９】
１００，２００，３００，４００，５００，６００，７００      シンバル
１０，４１０                                                中心部
２０，２２０，３２０，４２０，５２０，６２０                円環部
３０，４３０，７３０                                        第１連結部
３１，４３１                                                第１接合部（接合部）
３２，４３２                                                第１補強部（補強部）
４０，４４０，５４０，６４０                                第２連結部
【図１】
2014089369.tif 000003
【図２】
2014089369.tif 000004
【図３】
2014089369.tif 000005